(57)【要約】  本願は、アンテナ、アンテナ制御方法、及び端末を提供する。アンテナは、アンテナ本体及びアンテナブランチを含み、アンテナブランチの一端は、アンテナ本体に接続され、他端は一次無線周波数チャネルの給電点に接続され、一次無線周波数チャネルの給電点に接続されるアンテナブランチの端部はさらに第１調整可能デバイスを通じてアンテナ本体に接続され、第１調整可能デバイスは、オン状態又はオフ状態にある。アンテナブランチが、一次無線周波数チャネルの給電点及びアンテナ本体の間に接続され、アンテナブランチが、第１調整可能デバイスをスイッチオン又はオフすることにより接続又は切断されることができ、それにより、ヘッド側ハンド左及びヘッド側ハンド右状態における端末の良好な性能を保証する。
2021502736.tif 000002
【特許請求の範囲】
【請求項１】
アンテナ本体及びアンテナブランチを備えるアンテナであって、
前記アンテナブランチの一端は、前記アンテナ本体に接続され、他端は一次無線周波数チャネルの給電点に接続され、前記一次無線周波数チャネルの前記給電点に接続される前記アンテナブランチの前記端部はさらに第１調整可能デバイスを通じて前記アンテナ本体に接続され、
前記第１調整可能デバイスは、オン状態又はオフ状態にある、
アンテナ。
【請求項２】
前記第１調整可能デバイスは、さらに、素子を用いて接地される、請求項１に記載のアンテナ。
【請求項３】
前記アンテナブランチは、さらに、第２調整可能デバイスを用いて接地され、
前記第１調整可能デバイスが前記オフ状態にあるとき、前記第２調整可能デバイスはスイッチオンされて第１インダクタに接続され、
前記第１調整可能デバイスが前記オン状態にあるとき、前記第２調整可能デバイスはスイッチオンされて第２インダクタに接続され、
前記第２インダクタのインダクタンス値は前記第１インダクタのインダクタンス値より大きい、
請求項１又は２に記載のアンテナ。
【請求項４】
前記第２調整可能デバイスは、前記一次無線周波数チャネルの前記給電点から遠い前記アンテナブランチ上の領域に配置される、請求項３に記載のアンテナ。
【請求項５】
第３調整可能デバイスをさらに備え、前記第３調整可能デバイスの一端は、前記一次無線周波数チャネルの前記給電点に接続され、他端は、素子を用いて接地される、請求項１から４のいずれか一項に記載のアンテナ。
【請求項６】
第４調整可能デバイスをさらに備え、前記第４調整可能デバイスの一端は、前記一次無線周波数チャネルの前記給電点に接続され、他端は、前記アンテナブランチに接続される、請求項１から４のいずれか一項に記載のアンテナ。
【請求項７】
請求項１から６のいずれか一項に記載のアンテナを備える端末。
【請求項８】
端末に適用されるアンテナ制御方法であって、
前記端末は、請求項１から５のいずれか一項に記載のアンテナを備え、
前記アンテナ制御方法は、
前記端末がヘッド及びハンドファントム通信状態にあるとき、前記端末の前記ヘッド及びハンドファントム通信状態のタイプを識別する段階であり、前記ヘッド及びハンドファントム通信状態の前記タイプは、ヘッド側ハンド左及びヘッド側ハンド右を有する、段階と、
前記端末の前記ヘッド及びハンドファントム通信状態の前記タイプに基づいて前記第１調整可能デバイスのオン／オフ状態を調整する段階と、
を備える、
アンテナ制御方法。
【請求項９】
前記端末の前記ヘッド及びハンドファントム通信状態のタイプを識別する段階は、
前記オン状態及び前記オフ状態における前記第１調整可能デバイスのアンテナ性能パラメータ値を取得する段階と、
前記オン状態における前記第１調整可能デバイスの前記アンテナ性能パラメータ値及び前記オフ状態における前記第１調整可能デバイスの前記アンテナ性能パラメータ値に基づいて前記端末の前記ヘッド及びハンドファントム通信状態の前記タイプを識別する段階と、を含み、
前記端末の一次無線周波数チャネルの給電点が前記端末のＵＳＢインタフェースの右側にあるとき、前記オン状態における前記第１調整可能デバイスの前記アンテナ性能パラメータ値が前記オフ状態における前記第１調整可能デバイスの前記アンテナ性能パラメータ値より大きい場合、前記端末は、前記ヘッド側ハンド左状態にあると識別され、前記オン状態における前記第１調整可能デバイスの前記アンテナ性能パラメータ値が、前記オフ状態における前記第１調整可能デバイスの前記アンテナ性能パラメータ値より小さい場合、前記端末は、前記ヘッド側ハンド右状態にあると識別される、又は、
前記端末の一次無線周波数チャネルの給電点が前記端末のＵＳＢインタフェースの左側にあるとき、前記オン状態における前記第１調整可能デバイスの前記アンテナ性能パラメータ値が前記オフ状態における前記第１調整可能デバイスの前記アンテナ性能パラメータ値より大きい場合、前記端末は、前記ヘッド側ハンド右状態にあると識別され、前記オン状態における前記第１調整可能デバイスの前記アンテナ性能パラメータ値が、前記オフ状態における前記第１調整可能デバイスの前記アンテナ性能パラメータ値より小さい場合、前記端末は、前記ヘッド側ハンド左状態にあると識別される、
請求項８に記載の方法。
【請求項１０】
前記端末の前記ヘッド及びハンドファントム通信状態の前記タイプに基づいて前記第１調整可能デバイスのオン／オフ状態を調整する段階は、
前記端末の前記一次無線周波数チャネルの前記給電点が、前記端末の前記ＵＳＢインタフェースの右側にあるとき、前記端末が前記ヘッド側ハンド右状態にあると識別される場合に、前記第１調整可能デバイスを前記オフ状態になるように制御する段階、及び、前記端末が前記ヘッド側ハンド左状態にあると識別される場合に、前記第１調整可能デバイスを前記オン状態になるように制御する段階、又は
前記端末の前記一次無線周波数チャネルの前記給電点が前記端末の前記ＵＳＢインタフェースの左側にあるとき、前記端末が前記ヘッド側ハンド左状態にあると識別される場合に、前記第１調整可能デバイスを前記オフ状態になるように制御する段階、及び、前記端末が前記ヘッド側ハンド右状態にあると識別される場合に、前記第１調整可能デバイスを前記オン状態になるように制御する段階、
を含む、請求項８又は９に記載の方法。
【発明の詳細な説明】
【技術分野】
【０００１】
本願は、アンテナ技術の分野、特にアンテナ、アンテナ制御方法、及び端末に関する。
【背景技術】
【０００２】
現在のところ、端末の通信品質は、ヘッド及びハンドのファントム状態における端末用アンテナの性能に依存する。
【０００３】
ほとんどの端末用アンテナは、端末の縁部に近いそれらの低周波電流のヌルを有する。その結果、アンテナは、低周波のヘッド側ハンド左（ｂｅｓｉｄｅ−ｈｅａｄ−ａｎｄ−ｈａｎｄ−ｌｅｆｔ）及びヘッド側ハンド右（ｂｅｓｉｄｅ−ｈｅａｄ−ａｎｄ−ｈａｎｄ−ｒｉｇｈｔ）状態において不釣り合いな性能を有し、ヘッド及びハンドのファントム状態における端末の通信に影響する。
【発明の概要】
【０００４】
本願は、端末用アンテナが端末の縁部の近くにその低周波電流のヌルを有するとき、ヘッド及びハンドのファントム状態における端末の通信が、低周波のヘッド側ハンド左及びヘッド側ハンド右状態においてアンテナの不釣り合いな性能により影響を受けるという問題を解決するアンテナ、アンテナ制御方法、及び端末を提供する。
【０００５】
前述の目的を達成するために、以下の解決手段が設けられる。
【０００６】
本願の第１の態様は、アンテナ本体及びアンテナブランチを含むアンテナであって、前記アンテナブランチの一端は、前記アンテナ本体に接続され、他端は、一次無線周波数チャネルの給電点に接続され、前記一次無線周波数チャネルの前記給電点に接続される前記アンテナブランチの前記他端はさらに第１調整可能デバイスを通じて前記アンテナ本体に接続され、前記第１調整可能デバイスは、オン状態又はオフ状態にある、アンテナを提供する。
【０００７】
前述の解決手段から、アンテナブランチが、一次無線周波数チャネルの給電点及びアンテナ本体の間に接続され、アンテナブランチが、第１調整可能デバイスをスイッチオン又はオフすることにより接続又は切断されることができ、それにより、ヘッド側ハンド左及びヘッド側ハンド右状態における端末の良好な性能を保証することが分かる。
【０００８】
一実装では、前記第１調整可能デバイスは、さらに、素子を用いて接地される。素子を用いて第１調整可能デバイスを接地することで、低周波インピーダンスへの切り替えを実装して良好な放射性能を得ることができる。
【０００９】
一実装では、前記アンテナブランチは、さらに、第２調整可能デバイスを用いて接地され、前記第１調整可能デバイスが前記オフ状態にあるとき、前記第２調整可能デバイスはスイッチオンされて第１インダクタに接続され、前記第１調整可能デバイスが前記オン状態にあるとき、前記第２調整可能デバイスはスイッチオンされて第２インダクタに接続され、前記第２インダクタのインダクタンス値は前記第１インダクタのインダクタンス値より大きい。
【００１０】
一実装では、前記第２調整可能デバイスは、前記一次無線周波数チャネルの前記給電点から遠い前記アンテナブランチ上の領域に配置される。
【００１１】
一実装では、前記アンテナは、さらに、第３調整可能デバイスを含み、前記第３調整可能デバイスの一端は、前記一次無線周波数チャネルの前記給電点に接続され、他端は、素子を用いて接地される。
【００１２】
一実装では、前記アンテナは、さらに、第４調整可能デバイスを含み、前記第４調整可能デバイスの一端は、素子を用いて前記一次無線周波数チャネルの前記給電点に接続され、他端は、前記アンテナブランチに接続される。
【００１３】
本願の第２の態様は、前述の実装のいずれか１つに係るアンテナを含む端末を提供する。
【００１４】
本願の第２の態様は、端末に適用されるアンテナ制御方法であって、前記端末は、前述の実装のいずれか１つに係るアンテナを含み、前記アンテナ制御方法は、前記端末がヘッド及びハンドファントム通信状態にあるとき、前記端末の前記ヘッド及びハンドファントム通信状態のタイプを識別する段階であり、前記ヘッド及びハンドファントム通信状態の前記タイプは、ヘッド側ハンド左及びヘッド側ハンド右を含む、段階と、前記端末の前記ヘッド及びハンドファントム通信状態の前記タイプに基づいて第１調整可能デバイスのオン／オフ状態を調整する段階と、を含むアンテナ制御方法を提供する。
【００１５】
一実装では、前記端末の前記ヘッド及びハンドファントム通信状態のタイプを識別する段階は、前記オン状態及び前記オフ状態における前記第１調整可能デバイスのアンテナ性能パラメータ値を取得する段階と、前記オン状態における前記第１調整可能デバイスの前記アンテナ性能パラメータ値及び前記オフ状態における前記第１調整可能デバイスの前記アンテナ性能パラメータ値に基づいて前記端末の前記ヘッド及びハンドファントム通信状態の前記タイプを識別する段階と、を含み、前記端末の前記一次無線周波数チャネルの前記給電点が前記端末のＵＳＢインタフェースの前記右側にあるとき、前記オン状態における前記第１調整可能デバイスの前記アンテナ性能パラメータ値が前記オフ状態における前記第１調整可能デバイスの前記アンテナ性能パラメータ値より大きい場合、前記端末は、前記ヘッド側ハンド左状態にあると識別され、前記オン状態における前記第１調整可能デバイスの前記アンテナ性能パラメータ値が、前記オフ状態における前記第１調整可能デバイスの前記アンテナ性能パラメータ値より小さい場合、前記端末は、前記ヘッド側ハンド右状態にあると識別される、又は、前記端末の前記一次無線周波数チャネルの前記給電点が前記端末の前記ＵＳＢインタフェースの前記左側にあるとき、前記オン状態における前記第１調整可能デバイスの前記アンテナ性能パラメータ値が前記オフ状態における前記第１調整可能デバイスの前記アンテナ性能パラメータ値より大きい場合、前記端末は、前記ヘッド側ハンド右状態にあると識別され、前記オン状態における前記第１調整可能デバイスの前記アンテナ性能パラメータ値が、前記オフ状態における前記第１調整可能デバイスの前記アンテナ性能パラメータ値より小さい場合、前記端末は、前記ヘッド側ハンド左状態にあると識別される。
【００１６】
一実装では、前記端末の前記ヘッド及びハンドファントム通信状態の前記タイプに基づいて第１調整可能デバイスのオン／オフ状態を調整する段階は、前記端末の前記一次無線周波数チャネルの前記給電点が、前記端末の前記ＵＳＢインタフェースの前記右側にあるとき、前記端末が前記ヘッド側ハンド右ファントム状態にあると識別される場合に、前記第１調整可能デバイスを前記オフ状態になるように制御する段階、及び、前記端末が前記ヘッド側ハンド左ファントム状態にあると識別される場合に、前記第１調整可能デバイスを前記オン状態になるように制御する段階、又は前記端末の前記一次無線周波数チャネルの前記給電点が前記端末の前記ＵＳＢインタフェースの前記左側にあるとき、前記端末が前記ヘッド側ハンド左ファントム状態にあると識別される場合に、前記第１調整可能デバイスを前記オフ状態になるように制御する段階、及び、前記端末が前記ヘッド側ハンド右ファントム状態にあると識別される場合に、前記第１調整可能デバイスを前記オン状態になるように制御する段階と、を含む。
【図面の簡単な説明】
【００１７】
【図１Ａ】本願の実施形態に係るＴアンテナの概略構造図である。
【００１８】
【図１Ｂ】本願の実施形態に係る第１調整可能デバイスがスイッチオフされたときの端末用アンテナの通信性能の概略図である。
【００１９】
【図１Ｃ】本願の実施形態に係る第１調整可能デバイスがスイッチオフされたときの端末用アンテナの電流フローの概略図である。
【００２０】
【図１Ｄ】本願の実施形態に係る第１調整可能デバイスがスイッチオンされたときの端末用アンテナの通信性能の概略図である。
【００２１】
【図１Ｅ】本願の実施形態に係る第１調整可能デバイスがスイッチオンされたときの端末用アンテナの電流フローの概略図である。
【００２２】
【図２】本願の別の実施形態に係るＴアンテナの概略構造図である。
【００２３】
【図３】本願の別の実施形態に係るＴアンテナの概略構造図である。
【００２４】
【図４】本願の別の実施形態に係るＴアンテナの概略構造図である。
【００２５】
【図５】本願の実施形態に係るＩＦＡアンテナの概略構造図である。
【００２６】
【図６】本願の実施形態に係るアンテナ制御方法のフローチャートである。
【発明を実施するための形態】
【００２７】
アンテナを用いて構成される端末において、一次無線周波数チャネルの給電点は、通常、端末のユニバーサルシリアルバス（Ｕｎｉｖｅｒｓａｌ  Ｓｅｒｉａｌ  Ｂｕｓ，ＵＳＢ）インタフェースの右側にある。アンテナの低周波電流のヌルが、アンテナの低周波スタッドの端部に配置されるから、端末用アンテナの低周波電流のヌルは、アンテナの左側にある。ユーザが通信中に右手で端末を保持するとき、右手はアンテナの左側に比較的近い。手のファントムは、低周波数を比較的低くし、アンテナ効率を低下し、通信性能を劣化する。ユーザが通信中に左手で端末を保持するとき、左手はアンテナの左側から比較的に遠く、通信性能への影響は比較的小さくなる。従って、低周波のヘッド側ハンド右性能が、低周波のヘッド側ハンド左性能より基本的に差異３ｄＢ悪い。端末がスロットアンテナ又は金属フレーム付きアンテナを使用する場合、ヘッド側ハンド右性能はさらに悪く、デスグリップさえ発生し得る。これに基づいて、本願の実施形態は、低周波のヘッド側ハンド左及びヘッド側ハンド右状態におけるアンテナの不釣り合いな性能が、ヘッド及びハンドのファントム状態における端末の通信品質に影響するという問題を解決するアンテナを開示する。
【００２８】
図１Ａに示されるように、本願の実施形態において開示されるＴアンテナは、アンテナ本体１０１及びアンテナブランチ（ａｎｔｅｎｎａ  ｂｒａｎｃｈ）１０２を含む。アンテナブランチ１０２の第１端部１０２１は、アンテナ本体１０１に接続され、アンテナブランチ１０２の第２端部１０２２は、一次無線周波数チャネルの給電点に接続され、アンテナブランチ１０２の第２端部１０２２はさらに第１調整可能デバイス１０３を通じてアンテナ本体１０１に接続される。
【００２９】
アンテナ配線１０２は、導体であり、放射を提供することに留意すべきである。図１Ａに示されるように、アンテナ配線１０２は、Ｌ形状に配置されて、アンテナ本体１０２及び一次無線周波数チャネルの給電点に接続されてよい。言うまでもなく、アンテナブランチの一端がアンテナ本体に接続されることができ、他端が一次無線周波数チャネルの給電点に接続されることができるなら、アンテナ配線１０２は、別の形状で配置されてよい。
【００３０】
第１調整可能デバイス１０３は、オン状態又はオフ状態にあることができ、単極４投スイッチ、４極４投スイッチ、又は二極双投スイッチなどのスイッチデバイスであってよい。第１調整可能デバイス１０３がスイッチオフされるとき、一次無線周波数チャネルの給電点は、アンテナブランチ１０２を通じてアンテナ本体１０１に接続される。従って、図１Ａ内の破線のボックスＡ２に示されるように、アンテナの低周波スタッドは、アンテナ本体１０１の右側にある。アンテナの低周波電流のヌルも、アンテナ本体の右側にある。この場合、端末のヘッド側ハンド右性能は比較的良好である。図１Ｂにおいて矢印により示されるように、第１調整可能デバイス１０３がスイッチオフされるとき、電流は、アンテナブランチを通じて、一次無線周波数チャネルの給電点からアンテナ本体１０１の右側に流れる。図１Ｃは、端末が異なるモードにあるときのアンテナの通信性能を示す。図１Ｃにおいて、ラインＩは、端末が自由空間通信状態にあるときのアンテナの通信性能を反映するのに用いられ、ラインＩＩは、端末が、ヘッド側ハンド右通信状態にあるときのアンテナの通信性能を反映するのに用いられ、ラインＩＩＩは、端末がヘッド側ハンド左通信状態にあるときのアンテナの通信性能を反映するのに用いられる。図面においてラインＩＩ及びラインＩＩＩからわかるように、第１調整可能デバイス１０３がスイッチオフされるとき、端末のヘッド側ハンド右性能はより良好である。
【００３１】
第１調整可能デバイス１０３がスイッチオンされるとき、一次無線周波数チャネルの給電点は第１調整可能デバイス１０３を通じてアンテナ本体１０１に接続される。図１内の破線のボックスＡ１に示されるように、アンテナの低周波スタッドは、アンテナ本体１０１の左側にある。アンテナの低周波電流のヌルも、アンテナ本体１０１の左側にある。端末のヘッド側ハンド左性能は比較的良好である。図１Ｄにおいて矢印により示されるように、第１調整可能デバイス１０３がスイッチオンされるとき、電流は、一次無線周波数チャネルの給電点からアンテナ本体１０１の左側に直接流れる。図１Ｅは、端末が異なるモードにあるときのアンテナの通信性能を示す。図１Ｅにおいて、ラインＩは、端末が自由空間通信状態にあるときのアンテナの通信性能を反映するのに用いられ、ラインＩＩは、端末が、ヘッド側ハンド右通信状態にあるときのアンテナの通信性能を反映するのに用いられ、ラインＩＩＩは、端末がヘッド側ハンド左通信状態にあるときのアンテナの通信性能を反映するのに用いられる。図面においてラインＩＩ及びラインＩＩＩからわかるように、第１調整可能デバイス１０３がスイッチオフされるとき、端末のヘッド側ハンド左性能はより良好である。
【００３２】
端末がヘッド側ハンド左状態にあるとき、第１調整可能デバイス１０３はスイッチオンされ、アンテナブランチ１０２はアンテナ本体１０１に接続されない。これは、比較的良好なヘッド側ハンド左性能を保証することができる。端末がヘッド側ハンド右状態にあるとき、第１調整可能デバイス１０３はスイッチオフされ、アンテナブランチ１０２はアンテナ本体１０１に接続される。これは、比較的良好なヘッド側ハンド右性能を保証することができる。従って、アンテナの低周波電流のヌルの切り替えを実装し、比較的安定な低周波のヘッド及びハンドファントム性能を達成すべく、アンテナブランチ１０２は、第１調整可能デバイス１０３の状態を変えることにより、アンテナ本体１０１に接続される又はから切断されることができる。これは、ほとんどのシナリオにおいて、端末の通信品質を改善し、低周波のデスグリップの問題を解決することができる。
【００３３】
任意選択で、本願の別の実施形態において、図２に示されるように、第１調整デバイス２０３は、さらに、素子２０４を用いて接地されてよい。素子２０４を用いて第１調整可能デバイス２０３を接地することで、低周波数に切り替えるためのインピーダンスを実装して、良好な放射性能を得ることができる。任意選択で、素子２０４は、インダクタ又はキャパシタを含む。調整可能デバイス２０３がスイッチオンされるとき、キャパシタ又はインダクタを用いて第１調整可能デバイス２０３を接地することは、低周波数における一次無線周波数チャネルをキャパシタ又はインダクタと並列に接続することと同等である。このようにして、アンテナの低周波インピーダンスは５０オーム近くになり、反射係数が低減され、それにより、放射性能を改善する。
【００３４】
任意選択で、本願の別の実施形態において、図２に示されるように、アンテナブランチ２０２はさらに第２調整可能デバイス２０５に接続され、第２調整可能デバイス２０５はインダクタ２０６を用いて接地される。第２調整可能デバイス２０５及びインダクタ２０６は、低周波数の共鳴点を調整するのに役立つことができる。第２調整可能デバイス２０５は、アンテナブランチ２０２上の任意の位置に配置されてよい。しかしながら、図２に示されるように、低周波の周波数調節の比較的大きな範囲を取得する目的のため、第２調整可能デバイス２０５は、通常、一次無線周波数チャネルの給電点から遠いアンテナブランチ２０２上の領域に配置される。
【００３５】
第２調整可能デバイス２０５も、２つの状態、オン及びオフを含むことに留意すべきである。第２調整可能デバイス２０５がオフ状態にあるとき、アンテナは最低周波数にある。第２調整可能デバイス２０５がオン状態にあるとき、アンテナは最高周波数にある。加えて、第２調整可能デバイス２０５は、さらに、第２調整可能デバイス２０５に接続されるインダクタ２０６のインダクタンス値を変えることにより、アンテナの周波数帯を調整することができる。
【００３６】
具体的には、第１調整可能デバイス２０３がスイッチオフされるとき、一次無線周波数チャネルの給電点はアンテナブランチ２０２を通じてアンテナ本体２０１に接続される。アンテナの低周波スタッドは、アンテナ本体２０１の右側にある。アンテナを低周波数に置くために、第２調整可能デバイス２０５は、スイッチオンされて比較的小さいインダクタンス値を有する第１インダクタに接続される必要がある。加えて、第１調整可能デバイス２０３がスイッチオンされるとき、一次無線周波数チャネルの給電点は第１調整可能デバイス２０３を通じてアンテナ本体２０１に接続される。アンテナの低周波スタッドは、アンテナ本体２０１の左側にある。同様に、第１調整可能デバイス２０３がスイッチオフされ、第２調整可能デバイス１０５が第１インダクタに接続されるときと同じ帯域の低周波数にアンテナを位置させるには、第２調整可能デバイス２０５は、スイッチオンされてインダクタンス値が第１インダクタのそれより大きい第２インダクタに接続される必要がある。
【００３７】
第１インダクタ及び第２インダクタの特性インダクタンス値は、アンテナの低周波スタッドの長さによって決まることに留意すべきである。従って、それらは固定値ではなく、端末におけるアンテナの低周波スタッドの実際の長さに基づいて設定されることができる。ここで、長さは、物理的長さ又は電気的長さであってよい。
【００３８】
本願の別の実施形態は、さらに、Ｔアンテナを開示する。図３に示されるように、アンテナは、アンテナ本体３０１、アンテナブランチ３０２、第１調整可能デバイス３０３、素子３０４、第２調整可能デバイス３０５、及びインダクタ３０６を含む。加えて、アンテナ本体３０１、アンテナブランチ３０２、第１調整可能デバイス３０３、素子３０４、第２調整可能デバイス３０５、及びインダクタ３０６の接続方式及び動作過程については、前述の実施形態を参照されたい。ここでは詳細は説明しない。
【００３９】
本実施形態では、アンテナは、さらに、第３調整可能デバイス３０７を含む。第３調整可能デバイス３０７の一端は、一次無線周波数チャネルの給電点に接続され、他端は、素子３０８を用いて接地される。任意選択で、素子３０８は、インダクタ又はキャパシタを含む。
【００４０】
第３調整可能デバイス３０７がスイッチオンされるとき、低周波数における一次無線周波数チャネルをキャパシタ又はインダクタと並列に接続することは同等である。この場合、アンテナの低周波インピーダンスは、さらに、５０オーム近くに調節されてよく、それにより、より良好な反射係数を取得し、放射性能を改善することができる。
【００４１】
第３調整可能デバイスは、別の態様でアンテナに代替的に接続されてよいことにさらに留意すべきである。図４に示されるように、本願の別の実施形態において、第３調整可能デバイス４０７の一端は、素子４０８を用いて一次無線周波数チャネルの給電点に接続され、他端は、アンテナブランチ４０２に接続される。
【００４２】
本実施形態におけるアンテナ本体４０１、アンテナブランチ４０２、第１調整可能デバイス４０３、素子４０４、第２調整可能デバイス４０５、及びインダクタ４０６の接続方式及び動作過程については、前述のいくつかの実施形態を参照されたい。ここでは詳細は説明しない。加えて、第３調整可能デバイス４０７の機能が、図３の実施形態で説明されたものに対応してよい。ここでは詳細は説明しない。
【００４３】
本願の実施形態は、さらに、ＩＦＡアンテナを開示する。図５に示されるように、アンテナは、アンテナ本体５０１及びアンテナブランチ５０２を含む。
【００４４】
アンテナブランチ５０２の第１端部は、アンテナ本体５０１に接続され、アンテナブランチ５０２の第２端部は、一次無線周波数チャネルの給電点に接続され、アンテナブランチ５０２の第２端部はさらに第１調整可能デバイス５０３を通じてアンテナ本体５０１に接続される。
【００４５】
任意選択で、第１調整デバイス５０３は、さらに、素子５０４を用いて接地される。アンテナブランチ５０２は、さらに、第２調整可能デバイス５０５に接続される。加えて、第２調整可能デバイス５０５は、インダクタ（不図示）を用いて接地される。
【００４６】
本実施形態に開示されるＩＦＡアンテナでは、アンテナブランチ５０２は、前述の実施形態に開示されたアンテナブランチ１０２と同じであり、第１調整可能デバイス５０３は、前述の実施形態で開示された第１調整可能デバイス１０３と同じであり、第２調整可能デバイス５０５は、前述の実施形態で開示された第２調整可能デバイス１０５と同じである。ここでは詳細は説明しない。加えて、本実施形態におけるＩＦＡアンテナの様々な素子の動作過程については、前述の実施形態を参照されたい。ここでは詳細は説明しない。
【００４７】
さらにアンテナの低周波インピーダンスを５０オーム近くに調整するために、本実施形態に開示されるＩＦＡアンテナは、さらに、第３調整可能デバイスを含んでよいことをさらに留意すべきである。第３調整可能デバイスの接続方式については、図３及び図４に対応する実施形態を参照されたい。ここでは詳細は説明しない。
【００４８】
図１Ａ及び図５に対応する２つの実施形態から分かるように、一次無線周波数チャネルの給電点は、端末のＵＳＢインタフェースの右側にあり、低周波電流のヌルは、端末の縁部に近い端末用アンテナ内に配置され、アンテナブランチは、一次無線周波数チャネルの給電点及びアンテナ本体の間に接続される。端末がヘッド側ハンド左状態にあるとき、第１調整可能デバイスはスイッチオンされ、アンテナブランチは短絡されて、比較的良好なヘッド側ハンド左性能を保証する。端末がヘッド側ハンド右状態にあるとき、第１調整可能デバイスはスイッチオフされ、アンテナブランチはアンテナ本体に接続されて、比較的良好なヘッド側ハンド右性能を保証する。
【００４９】
言うまでもなく、一次無線周波数チャネルの給電点は、端末のＵＳＢインタフェースの左側にある場合、アンテナブランチは、一次無線周波数チャネルの給電点及びアンテナ本体の間に接続されてもよい。第１調整可能デバイスは、アンテナブランチを接続するかどうかを制御する。差異は、端末がヘッド側ハンド左状態にあるとき、第１調整可能デバイスがスイッチオフされ、アンテナブランチがアンテナ本体に接続されて、比較的良好なヘッド側ハンド左性能を保証すること、端末がヘッド側ハンド右状態にあるとき、第１調整可能デバイスがスイッチオンされ、アンテナブランチが短絡されて、比較的良好なヘッド側ハンド右性能を保証することである。
【００５０】
本願の別の実施形態は、さらに、アンテナ制御方法を開示する。アンテナ構造については、前述のいくつかの実施形態を参照されたい。ここでは詳細は説明しない。図６を参照すると、本実施形態に開示されるアンテナ制御方法は、以下の段階を含む。
【００５１】
Ｓ６０１、端末がヘッド及びハンドファントム通信状態にあるとき、端末のヘッド及びハンドファントム通信状態のタイプを識別する。
【００５２】
ヘッド及びハンドファントム通信状態のタイプは、ヘッド側ハンド左及びヘッド側ハンド右を含む。
【００５３】
任意選択で、段階Ｓ６０１の一実装では、段階は、以下の副段階を含む。
【００５４】
Ｓ６０１１、オン状態及びオフ状態における第１調整可能デバイスのアンテナ性能パラメータ値を取得する。
【００５５】
アンテナ性能パラメータは、アンテナの受信信号強度及び一次無線周波数チャネルのインピーダンスを含む。
【００５６】
端末がヘッド及びハンドファントム通信状態にあるとき、端末の一次無線周波数チャネルの給電点が端末のＵＳＢインタフェースの左又は右側にあるため、端末が異なるタイプのヘッド及びハンドファントム通信状態にあるときに不釣り合いなアンテナ性能が引き起こされ得る。この場合、アンテナブランチは、第１調整可能デバイスを用いて、アンテナ本体と端末の一次無線周波数チャネルの給電点との間に接続されて、異なるタイプのヘッド及びハンドファントム通信状態においてアンテナの性能を調整する。
【００５７】
端末が異なるタイプのヘッド及びハンドファントム通信状態にあるときに比較的良好なアンテナ性能を保証するために、第１調整可能デバイスのオン／オフ状態は、端末のヘッド及びハンドファントム通信状態のタイプに基づいて調節されることを必要とする。具体的には、第１調整可能デバイスは、短期間、スイッチオンされ、そして短期間、スイッチオフされて、オン状態及びオフ状態におけるアンテナ性能パラメータ値を得る。
【００５８】
Ｓ６０１２、オン状態における第１調整可能デバイスのアンテナ性能パラメータ値及びオフ状態における第１調整可能デバイスのアンテナ性能パラメータ値に基づいて、端末のヘッド及びハンドファントム通信状態のタイプを識別する。
【００５９】
端末の一次無線周波数チャネルの給電点の位置は、異なるタイプのヘッド及びハンドファントム通信状態における端末のアンテナ通信性能に影響する。従って、端末の一次無線周波数チャネルの給電点の位置が判断される必要がある。具体的には、一次無線周波数チャネルの給電点の位置は、第１調整可能デバイスがスイッチオン又はオフされるよう制御される前に指定されてよく、又は端末のヘッド及びハンドファントム通信状態のタイプが識別される前に検出を通じて取得されてよい。
【００６０】
端末の一次無線周波数チャネルの給電点が端末のＵＳＢインタフェースの右側にあるとき、オン状態における第１調整可能デバイスのアンテナ性能パラメータ値がオフ状態における第１調整可能デバイスのアンテナ性能パラメータ値より大きい場合、端末は、ヘッド側ハンド左状態にあると識別され、オン状態における第１調整可能デバイスのアンテナ性能パラメータ値が、オフ状態における第１調整可能デバイスのアンテナ性能パラメータ値より小さい場合、端末は、ヘッド側ハンド右状態にあると識別されることに留意すべきである。
【００６１】
端末の一次無線周波数チャネルの給電点が端末のＵＳＢインタフェースの左側にあるとき、オン状態における第１調整可能デバイスのアンテナ性能パラメータ値がオフ状態における第１調整可能デバイスのアンテナ性能パラメータ値より大きい場合、端末は、ヘッド側ハンド右状態にあると識別され、オン状態における第１調整可能デバイスのアンテナ性能パラメータ値が、オフ状態における第１調整可能デバイスのアンテナ性能パラメータ値より小さい場合、端末は、ヘッド側ハンド左状態にあると識別される。
【００６２】
段階Ｓ６０１は、別の態様において代替的に実装されてよく、例えば、検出デバイスを用いて、ユーザが左手又は右手で端末を保持するかどうかを検出する、又は、端末の地理的位置を検出して、端末がユーザの左側又は右側にあるかどうかを判断してよい。ここでは詳細は説明しない。
【００６３】
Ｓ６０２、端末のヘッド及びハンドファントム通信状態のタイプに基づいて第１調整可能デバイスのオン／オフ状態を調整する。
【００６４】
調節後の第１調整可能デバイスのオン／オフ状態は、端末のヘッド及びハンド通信状態における最適なアンテナ性能を保証する必要がある。
【００６５】
任意選択で、端末の一次無線周波数チャネルの給電点の位置を参照して、この段階の実装は、次の段階を含む。
【００６６】
端末の一次無線周波数チャネルの給電点が端末のＵＳＢインタフェースの右側にあるとき、端末がヘッド側ハンド右状態にあると識別される場合に、第１調整可能デバイスをオフ状態になるように制御する段階、及び、端末がヘッド側ハンド左状態にあると識別される場合に、第１調整可能デバイスをオン状態になるように制御する段階。
【００６７】
この段階の別の実装は、端末の一次無線周波数チャネルの給電点が端末のＵＳＢインタフェースの左側にあるとき、端末がヘッド側ハンド左状態にあると識別される場合に、第１調整可能デバイスをオフ状態になるように制御する段階、及び、端末が前記ヘッド側ハンド右状態にあると識別される場合に、第１調整可能デバイスをオン状態になるように制御する段階を含む。
【００６８】
本願の本実施形態において開示されるアンテナ制御方法の特定の実装原理については、前述のアンテナの実施形態を参照されたい。ここでは詳細は説明しない。
【００６９】
任意選択で、本願の別の実施形態において、アンテナがさらに第２調整可能デバイスとともに配置される場合、アンテナ制御方法は、さらに、第１調整可能デバイスのオン／オフを制御することに加えて、第２調整可能デバイスのオン／オフ状態を制御する必要がある。具体的には、本実施形態において開示されるアンテナ制御方法は、さらに、第１調整可能デバイスがオフ状態にあるとき、第２調整可能デバイスをオン状態にして第１インダクタに接続されるよう制御する段階、又は、第１調整可能デバイスがオン状態にあるとき、第２調整可能デバイスをオン状態にして第２インダクタに接続されるよう制御する段階を含み、第２インダクタのインダクタンス値は第１インダクタのインダクタンス値より大きい。
【００７０】
本実施形態における第２調整可能デバイスを制御する原理については、図２に対応する実施形態を参照されたい。ここでは詳細は説明しない。
【００７１】
前述の実施形態で説明される低周波数は、７００ＭＨｚから９６０ＭＨｚを含む。
【００７２】
本発明の実施形態で用いられる用語は、単に特定の実施形態を説明する目的であり、本発明を限定することを意図しない。本発明の実施形態及び添付の特許請求の範囲で使用される単数形の「a」、「the」、及び「this」という用語は、文脈で明確に指定されない限り、複数形も含む意図である。
【００７３】
本発明の実施形態で説明される周波数は、共振周波数として理解されてよいことに留意すべきである。当業者は、アンテナの動作帯域幅として、共振周波数の７％から１３％の範囲内の周波数を考慮してよい。例えば、アンテナの共振周波数が１８００ＭＨｚであり、動作帯域幅が共振周波数の１０％のとき、アンテナは１６２０ＭＨｚから１９８０ＭＨｚの範囲で動作する。
【００７４】
本発明の実施形態では、特に指定されない限り、表現「より大きい」は「以上」を含むと理解されるべきであり、表現「より小さい」は「以下」を含むと理解されるべきであり、表現「上」、「下」、及び「間」はすべて、包括的な関係として理解されるべきであることをさらに理解すべきである。
【００７５】
本発明の実施形態において、用語「接地」は、「アンテナ接地部」、「アンテナ接地」、及び「接地面（グランドプレーン）」などの他の用語に置き換えられてよいことに留意すべきである。それらは全て、基本的に同じ意味を表すのに用いられる。アンテナ接地部は、無線周波数送受信機回路の接地ケーブルに接続される。
【００７６】
任意選択で、「接地」は、主に通信デバイスのプリント回路基板の表面上に配置されてよい。スプリング、ねじ、スプリングプレート、導電性ファブリック、導電性フォーム、又は導電性接着剤などの電気接続素子もプリント回路基板上に配置され、無線周波数回路とアンテナとの間の接続を確立する、又はアンテナ接地部とアンテナとの間の接続を確立するために用いられる。加えて、アンテナとアンテナ接地部との間の隙間は、空気、プラスチック、セラミック、又は別の誘電体素材で充填されてもよい。
【００７７】
本発明の実施形態で説明されるようにＡがＢに「接続される」とは、ワイヤ、スプリングなどを用いたＡとＢとの間の直接接続、又は、別の素子Ｃを介したＡとＢとの間の間接接続を含む、Ａを通る電気信号とＢを通る電気信号との間の物理的関連、及びＡを通る電気信号とＢを通る電気信号の間の電磁誘導にトリガされる関連を示すことに留意すべきである。
【００７８】
前述の実施形態におけるキャパシタ及びインダクタは、集中キャパシタ及び集中インダクタ、キャパシタ及びインダクタ、又は分散キャパシタ及び分散インダクタであってもよいことに留意すべきである。これは、本発明の実施形態において限定されない。
【００７９】
本発明の実施形態では、「第１」、「第２」、及び「第３」などの序数は、文脈で別段の指定がない限り、区別のためだけに用いられることに留意すべきである。
【００８０】
前述の実施形態では、各実施形態の説明はそれぞれ主眼を有する。一実施形態において詳述されない部分については、他の実施形態における関連した説明を参照されたい。
【図１Ａ】
2021502736.tif 000003
【図１Ｂ】
2021502736.tif 000004
【図１Ｃ】
2021502736.tif 000005
【図１Ｄ】
2021502736.tif 000006
【図１Ｅ】
2021502736.tif 000007
【図２】
2021502736.tif 000008
【図３】
2021502736.tif 000009
【図４】
2021502736.tif 000010
【図５】
2021502736.tif 000011
【図６】
2021502736.tif 000012
【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
アンテナ本体及びアンテナブランチを備えるアンテナであって、
前記アンテナブランチの一端は、前記アンテナ本体に接続され、他端は一次無線周波数チャネルの給電点に接続され、前記一次無線周波数チャネルの前記給電点に接続される前記アンテナブランチの前記他端はさらに第１調整可能デバイスを通じて前記アンテナ本体に接続され、
前記第１調整可能デバイスは、オン状態又はオフ状態にある、
アンテナ。
【請求項２】
前記第１調整可能デバイスは、さらに、素子を用いて接地される、請求項１に記載のアンテナ。
【請求項３】
前記アンテナブランチは、さらに、第２調整可能デバイスを用いて接地され、
前記第１調整可能デバイスが前記オフ状態にあるとき、前記第２調整可能デバイスはスイッチオンされて第１インダクタに接続され、
前記第１調整可能デバイスが前記オン状態にあるとき、前記第２調整可能デバイスはスイッチオンされて第２インダクタに接続され、
前記第２インダクタのインダクタンス値は前記第１インダクタのインダクタンス値より大きい、
請求項１又は２に記載のアンテナ。
【請求項４】
前記第２調整可能デバイスは、前記一次無線周波数チャネルの前記給電点から遠い前記アンテナブランチ上の領域に配置される、請求項３に記載のアンテナ。
【請求項５】
第３調整可能デバイスをさらに備え、前記第３調整可能デバイスの一端は、前記一次無線周波数チャネルの前記給電点に接続され、他端は、素子を用いて接地される、請求項１から４のいずれか一項に記載のアンテナ。
【請求項６】
第４調整可能デバイスをさらに備え、前記第４調整可能デバイスの一端は、前記一次無線周波数チャネルの前記給電点に接続され、他端は、前記アンテナブランチに接続される、請求項１から４のいずれか一項に記載のアンテナ。
【請求項７】
請求項１から６のいずれか一項に記載のアンテナを備える端末。
【請求項８】
端末に適用されるアンテナ制御方法であって、
前記端末は、請求項１から６のいずれか一項に記載のアンテナを備え、
前記アンテナ制御方法は、
前記端末がヘッド及びハンドファントム通信状態にあるとき、前記端末の前記ヘッド及びハンドファントム通信状態のタイプを識別する段階であり、前記ヘッド及びハンドファントム通信状態の前記タイプは、ヘッド側ハンド左状態及びヘッド側ハンド右状態を有する、段階と、
前記端末の前記ヘッド及びハンドファントム通信状態の前記タイプに基づいて第１調整可能デバイスのオン／オフ状態を調整する段階と、
を備える、
アンテナ制御方法。
【請求項９】
前記端末の前記ヘッド及びハンドファントム通信状態のタイプを識別する段階は、
前記オン状態及び前記オフ状態における前記第１調整可能デバイスのアンテナ性能パラメータ値を取得する段階と、
前記オン状態における前記第１調整可能デバイスの前記アンテナ性能パラメータ値及び前記オフ状態における前記第１調整可能デバイスの前記アンテナ性能パラメータ値に基づいて前記端末の前記ヘッド及びハンドファントム通信状態の前記タイプを識別する段階と、を含み、
前記端末の一次無線周波数チャネルの給電点が前記端末のＵＳＢインタフェースの右側にあるとき、前記オン状態における前記第１調整可能デバイスの前記アンテナ性能パラメータ値が前記オフ状態における前記第１調整可能デバイスの前記アンテナ性能パラメータ値より大きい場合、前記端末は、前記ヘッド側ハンド左状態にあると識別され、前記オン状態における前記第１調整可能デバイスの前記アンテナ性能パラメータ値が、前記オフ状態における前記第１調整可能デバイスの前記アンテナ性能パラメータ値より小さい場合、前記端末は、前記ヘッド側ハンド右状態にあると識別される、又は、
前記端末の一次無線周波数チャネルの給電点が前記端末のＵＳＢインタフェースの左側にあるとき、前記オン状態における前記第１調整可能デバイスの前記アンテナ性能パラメータ値が前記オフ状態における前記第１調整可能デバイスの前記アンテナ性能パラメータ値より大きい場合、前記端末は、前記ヘッド側ハンド右状態にあると識別され、前記オン状態における前記第１調整可能デバイスの前記アンテナ性能パラメータ値が、前記オフ状態における前記第１調整可能デバイスの前記アンテナ性能パラメータ値より小さい場合、前記端末は、前記ヘッド側ハンド左状態にあると識別される、
請求項８に記載のアンテナ制御方法。
【請求項１０】
前記端末の前記ヘッド及びハンドファントム通信状態の前記タイプに基づいて前記第１調整可能デバイスのオン／オフ状態を調整する段階は、
前記端末の前記一次無線周波数チャネルの前記給電点が、前記端末のＵＳＢインタフェースの右側にあるとき、前記端末が前記ヘッド側ハンド右状態にあると識別される場合に、前記第１調整可能デバイスを前記オフ状態になるように制御する段階、及び、前記端末が前記ヘッド側ハンド左状態にあると識別される場合に、前記第１調整可能デバイスを前記オン状態になるように制御する段階、又は
前記端末の前記一次無線周波数チャネルの前記給電点が前記端末のＵＳＢインタフェースの左側にあるとき、前記端末が前記ヘッド側ハンド左状態にあると識別される場合に、前記第１調整可能デバイスを前記オフ状態になるように制御する段階、及び、前記端末が前記ヘッド側ハンド右状態にあると識別される場合に、前記第１調整可能デバイスを前記オン状態になるように制御する段階、
を含む、請求項８又は９に記載のアンテナ制御方法。
【手続補正２】
【補正対象書類名】明細書
【補正対象項目名】００１４
【補正方法】変更
【補正の内容】
【００１４】
本願の第３の態様は、端末に適用されるアンテナ制御方法であって、前記端末は、前述の実装のいずれか１つに係るアンテナを含み、前記アンテナ制御方法は、前記端末がヘッド及びハンドファントム通信状態にあるとき、前記端末の前記ヘッド及びハンドファントム通信状態のタイプを識別する段階であり、前記ヘッド及びハンドファントム通信状態の前記タイプは、ヘッド側ハンド左及びヘッド側ハンド右を含む、段階と、前記端末の前記ヘッド及びハンドファントム通信状態の前記タイプに基づいて第１調整可能デバイスのオン／オフ状態を調整する段階と、を含むアンテナ制御方法を提供する。
【手続補正３】
【補正対象書類名】明細書
【補正対象項目名】００２９
【補正方法】変更
【補正の内容】
【００２９】
アンテナブランチ１０２は、導体であり、放射を提供することに留意すべきである。図１Ａに示されるように、アンテナブランチ１０２は、Ｌ形状に配置されて、アンテナ本体１０１及び一次無線周波数チャネルの給電点に接続されてよい。言うまでもなく、アンテナブランチの一端がアンテナ本体に接続されることができ、他端が一次無線周波数チャネルの給電点に接続されることができるなら、アンテナブランチ１０２は、別の形状で配置されてよい。
【手続補正４】
【補正対象書類名】明細書
【補正対象項目名】００３１
【補正方法】変更
【補正の内容】
【００３１】
第１調整可能デバイス１０３がスイッチオンされるとき、一次無線周波数チャネルの給電点は第１調整可能デバイス１０３を通じてアンテナ本体１０１に接続される。図１Ｄ内の破線のボックスＡ１に示されるように、アンテナの低周波スタッドは、アンテナ本体１０１の左側にある。アンテナの低周波電流のヌルも、アンテナ本体１０１の左側にある。端末のヘッド側ハンド左性能は比較的良好である。図１Ｄにおいて矢印により示されるように、第１調整可能デバイス１０３がスイッチオンされるとき、電流は、一次無線周波数チャネルの給電点からアンテナ本体１０１の左側に直接流れる。図１Ｅは、端末が異なるモードにあるときのアンテナの通信性能を示す。図１Ｅにおいて、ラインＩは、端末が自由空間通信状態にあるときのアンテナの通信性能を反映するのに用いられ、ラインＩＩは、端末が、ヘッド側ハンド右通信状態にあるときのアンテナの通信性能を反映するのに用いられ、ラインＩＩＩは、端末がヘッド側ハンド左通信状態にあるときのアンテナの通信性能を反映するのに用いられる。図面においてラインＩＩ及びラインＩＩＩからわかるように、第１調整可能デバイス１０３がスイッチオフされるとき、端末のヘッド側ハンド左性能はより良好である。
【手続補正５】
【補正対象書類名】明細書
【補正対象項目名】００３３
【補正方法】変更
【補正の内容】
【００３３】
任意選択で、本願の別の実施形態において、図２に示されるように、第１調整デバイス２０３は、さらに、素子２０４を用いて接地されてよい。素子２０４を用いて第１調整可能デバイス２０３を接地することで、低周波数に切り替えるためのインピーダンスを実装して、良好な放射性能を得ることができる。任意選択で、素子２０４は、インダクタ又はキャパシタを含む。第１調整可能デバイス２０３がスイッチオンされるとき、キャパシタ又はインダクタを用いて第１調整可能デバイス２０３を接地することは、低周波数における一次無線周波数チャネルをキャパシタ又はインダクタと並列に接続することと同等である。このようにして、アンテナの低周波インピーダンスは５０オーム近くになり、反射係数が低減され、それにより、放射性能を改善する。
【手続補正６】
【補正対象書類名】明細書
【補正対象項目名】００３６
【補正方法】変更
【補正の内容】
【００３６】
具体的には、第１調整可能デバイス２０３がスイッチオフされるとき、一次無線周波数チャネルの給電点はアンテナブランチ２０２を通じてアンテナ本体２０１に接続される。アンテナの低周波スタッドは、アンテナ本体２０１の右側にある。アンテナを低周波数に置くために、第２調整可能デバイス２０５は、スイッチオンされて比較的小さいインダクタンス値を有する第１インダクタに接続される必要がある。加えて、第１調整可能デバイス２０３がスイッチオンされるとき、一次無線周波数チャネルの給電点は第１調整可能デバイス２０３を通じてアンテナ本体２０１に接続される。アンテナの低周波スタッドは、アンテナ本体２０１の左側にある。同様に、第１調整可能デバイス２０３がスイッチオフされ、第２調整可能デバイス２０５が第１インダクタに接続されるときと同じ帯域の低周波数にアンテナを位置させるには、第２調整可能デバイス２０５は、スイッチオンされてインダクタンス値が第１インダクタのそれより大きい第２インダクタに接続される必要がある。
【国際調査報告】
2021502736.tif 000013
2021502736.tif 000014
2021502736.tif 000015
2021502736.tif 000016